(57)【特許請求の範囲】
【請求項１】
第１〜第４の入力回線、第１〜第４の出力回線、アド回線、およびドロップ回線が接続された光アド・ドロップ多重化装置であって、
上記第１〜第４の入力回線から入力される信号をそれぞれ分岐する４個の第１の光デバイスと、
上記第１〜第４の出力回線に対応して設けられた４個の第１のスイッチと、
上記第１〜第４の出力回線に対応して設けられた４個の第２のスイッチと、
１組の第３のスイッチと、
上記第１の光デバイスにより分岐された信号を上記ドロップ回線に導くドロップ部と、
上記アド回線からの信号を上記第２のスイッチに導くアド部とを備え、
上記１組の第３のスイッチの一方は、上記第１および第２の出力回線に対応する第２のスイッチからの信号を上記第３および第４の出力回線に対応する第１のスイッチへ導き、
上記１組の第３のスイッチの他方は、上記第３および第４の出力回線に対応する第２のスイッチからの信号を上記第１および第２の出力回線に対応する第１のスイッチへ導き、
上記４個の第１のスイッチは、それぞれ、対応する第１の光デバイスにより分岐された信号または上記第３のスイッチからの信号を出力し、
上記４個の第２のスイッチは、それぞれ、対応する第１のスイッチからの信号または上記アド部からの信号を対応する出力回線に出力する
を特徴とする光アド・ドロップ多重化装置。
【請求項２】
請求項１に記載の光アド・ドロップ多重化装置であって、
上記ドロップ回線は第１および第２のドロップ回線を含み、
上記ドロップ部は、
上記４個の第１の光デバイスにより分岐された信号をそれぞれさらに分岐する４個の第２の光デバイスと、
上記４個の第２の光デバイスにより分岐された信号の１つを上記第１のドロップ回線に導くスイッチと、
上記４個の第２の光デバイスにより分岐された信号の１つを上記第２のドロップ回線に導くスイッチを有する。
【請求項３】
請求項１に記載の光アド・ドロップ多重化装置であって、
上記アド回線は第１および第２のアド回線を含み、
上記アド部は、
上記第１および第２のアド回線からの信号をそれぞれ分岐する２個の第３の光デバイスと、
上記第３の光デバイスにより分岐された信号を上記第２のスイッチに導く２個のスイッチを有する。
【請求項４】
請求項１に記載の光アド・ドロップ多重化装置であって、
上記第２のスイッチと対応する出力回線との間に設けられ、当該出力回線に出力すべき信号のレベルを調整する調整手段と、
上記第１〜第３の各スイッチの状態に基づいて上記調整手段を制御する制御手段と
をさらに有する。
【請求項５】
請求項１に記載の光アド・ドロップ多重化装置であって、
上記第１〜第４の入力回線および上記第１〜第４の出力回線がそれぞれ波長多重光を伝送し、
上記第１の光デバイス、上記第１のスイッチ、上記第２のスイッチ、上記第３のスイッチ、上記ドロップ部、および上記アド部がそれぞれ波長ごとに設けられており、
上記第１〜第４の入力回線からの波長多重光を波長ごとに分波して対応する第１の光デバイスへ与える４個の波長分波器と、
各波長ごとに設けられている上記第２のスイッチから出力される信号を合波して上記第１〜第４の出力回線へ出力する４個の波長合波器と
をさらに有する。
【発明の詳細な説明】
【０００１】
【発明の属する技術分野】
本発明は、光アド・ドロップ多重化装置に係わり、特に、波長多重通信網において使用される光アド・ドロップ多重化装置に係わる。
【０００２】
【従来の技術】
近年、インターネットや携帯電話の普及、および端末装置の高機能化などに伴い、アクセス回線の広帯域化が進み、ネットワーク上のトラヒックが急激に増加してきている。そして、この傾向は、今後も続くものと思われる。このため、通信基盤の整備が進められている。
【０００３】
上述のような通信トラヒックの増加に対処するために、光通信網の構築が進められている。そして、伝送路の大容量化を実現するために、波長多重（ＷＤＭ：Wavelength Division Multiplexing）通信方式が導入されはじめている。ところが、伝送路の大容量化の進み具合と比較して、通信ノード（伝送装置）の高速化を実現する技術は遅れており、通信ノードがネットワークのボトルネックとなる可能性が指摘されている。
【０００４】
このため、伝送路の大容量化を実現するＷＤＭ方式を採用するネットワークにおいて、信号を高速に処理できる通信ノードが要求されている。なお、ネットワークトポロジーはリング型が主流であり、また、通信ノードは、光アド・ドロップ多重化装置により実現されることが多い。
【０００５】
図２５は、既存の光アド・ドロップ多重化装置（光ＡＤＭ（Add-Drop Multiplexing ）装置）の一例の構成図である。この光ＡＤＭ装置は、４本の入力側局間回線および４本の出力側局間回線が接続されている。ここで、局間回線は、通信ノード間を接続する幹線系の伝送路であり、波長多重光（λ１〜λｎ）が伝送される。
【０００６】
波長分波器５０１ａ〜５０１ｄは、入力側局間回線を介して伝送されてきた波長多重光を波長ごとに分波する。クロスポイントスイッチ５０２は、波長ごとに設けられており、入力信号を対応する出力ポートに導く。ここでは、波長λ１に対応して設けられたスイッチのみが描かれている。波長合波器５０３ａ〜５０３ｄは、各クロスポイントスイッチ５０２からの出力を合波して出力側局間回線へ出力する。
【０００７】
なお、この光ＡＤＭ装置は、局間回線に追加すべき信号を受信するためのアドポート、及び局間回線から分岐した信号を局内回線に出力するためのドロップポートを備える。ただし、アドポートを介して入力される信号は、ＵＰＳＲ（Uni-directional Path Switched Ring）を実現するために、光スプリッタとして作用する光カプラにより互いに同じ１組の信号に分岐されてクロスポイントスイッチ５０２に与えられる。
【０００８】
したがって、クロスポイントスイッチ５０２は、８個の入力ポートおよび６個の出力ポートを備える構成であり、８×６スイッチにより実現される。ここで、クロスポイントスイッチ（８×６スイッチ）５０２は、図２６に示すように、３５個の２×２スイッチ、及び１３個の１×２スイッチから構成されている。
【０００９】
この構成によれば、任意の入力側局間回線から入力された信号を、所望の出力側局間回線または局内回線に導くことができる。また、局内回線からアドポートを介して入力される信号を、所望の出力側局間回線に導くことができる。
【００１０】
図２７は、既存の光ＡＤＭ装置の他の形態の構成図である。この光ＡＤＭ装置では、光スイッチが複数に分割されている。すなわち、この光ＡＤＭ装置は、局間回線ごとに設けられる３×２スイッチ５１１ａ〜５１１ｄ、障害発生時に信号の経路を切り替えるための４×４スイッチ５１２、所望の局間回線に信号を追加するための２×２スイッチ５１３ａ〜５１３ｂ、および局間回線から分岐された信号を局内回線に導くための４×２スイッチ５１４を備える。この構成によっても、任意の回線から入力された信号を、所望の回線に導くことができる。
【００１１】
【発明が解決しようとする課題】
ところで、現在の技術水準では、光スイッチの大型化には様々な困難を伴う。このため、図２６に示すような８×６クロスポイントスイッチは、実現すること自体は可能であるが、その信頼性が高いとは言えず、また、製造コストも非常に高くなってしまう。したがって、これらの点を考慮すると、少なくとも現時点では、図２５に示すような光ＡＤＭ装置は、好ましい構成とは言えない。
【００１２】
図２７に示す光ＡＤＭ装置では、大型のクロスポイントスイッチの代わりに、４×４スイッチ、３×２スイッチ、４×２スイッチなどが使用されている。しかし、この規模の光スイッチであっても、信頼性および製造コストなどを考慮すると、光ＡＤＭ装置を実現するための好ましいデバイスとは言えない。すなわち、より小さな光スイッチを組み合わせることにより光ＡＤＭ装置を実現することが望まれている。
【００１３】
なお、光ＡＤＭ装置内の光スイッチが故障した場合は、通常、その故障した光スイッチは新たな光スイッチに交換される。したがって、大型の光スイッチが使用されている場合は、交換単位が大きくなる。すなわち、大型の光スイッチが使用されている場合は、メンテナンスに際して、故障に直接的に係わる回線のサービスだけでなく、故障と直接的に係わりのないサービスも停止しなければならないこともある。
【００１４】
本発明の目的は、信頼性の高い光ＡＤＭ装置を提供することである。また、本発明の他の目的は、メンテナンスの際にサービスの変更または停止を最小限に抑えることができる光ＡＤＭ装置を提供することである。
【００１５】
【課題を解決するための手段】
本発明の光アド・ドロップ多重化装置は、第１〜第４の入力回線、第１〜第４の出力回線、アド回線、およびドロップ回線が接続されており、上記第１〜第４の入力回線から入力される信号をそれぞれ分岐する４個の第１の光デバイスと、上記第１〜第４の出力回線に対応して設けられた４個の第１のスイッチと、上記第１〜第４の出力回線に対応して設けられた４個の第２のスイッチと、１組の第３のスイッチと、上記第１の光デバイスにより分岐された信号を上記ドロップ回線に導くドロップ部と、上記アド回線からの信号を上記第２のスイッチに導くアド部とを備える。そして、上記１組の第３のスイッチの一方は、上記第１および第２の出力回線に対応する第２のスイッチからの信号を上記第３および第４の出力回線に対応する第１のスイッチへ導く。また、上記１組の第３のスイッチの他方は、上記第３および第４の出力回線に対応する第２のスイッチからの信号を上記第１および第２の出力回線に対応する第１のスイッチへ導く。さらに、上記４個の第１のスイッチは、それぞれ、対応する第１の光デバイスにより分岐された信号または上記第３のスイッチからの信号を出力する。さらに、上記４個の第２のスイッチは、それぞれ、対応する第１のスイッチからの信号または上記アド部からの信号を対応する出力回線に出力する。
【００１６】
上記構成において、第１のスイッチの入力数は「２」であり、出力数は「１」である。従って、第１のスイッチは、１つのスイッチング素子で実現できる。また、第２および第３のスイッチの入力数はそれぞれ「２」であり、出力数もそれぞれ「２」である。従って、第２および第３のスイッチも、１つのスイッチング素子で実現できる。ここで、このようなスイッチング素子は、低コストで比較的簡単に製造でき、信頼性が高い。したがって、信頼性の高い光アド・ドロップ多重化装置が実現される。
【００１７】
【発明の実施の形態】
以下、本発明の実施形態について図面を参照しながら説明する。
図１は、本発明の実施形態の光アド・ドロップ多重化装置（光ＡＤＭ装置）が使用されるネットワークの構成を示す図である。なお、ここでは、複数の光ＡＤＭ装置１ａ〜１ｄがリング状に接続されているが、必ずしもこのようなトポロジに限定されるものではない。
【００１８】
各光ＡＤＭ装置間は、それぞれ４本の光伝送路（光ファイバ）により接続されている。そして、これらの光伝送路によりリング状のネットワークが形成されている。具体的には、現用系時計回り伝送路、現用系反時計回り伝送路、予備系時計回り伝送路、予備系反時計回り伝送路が提供される。なお、「現用系」および「予備系」のことを、それぞれ「Ｗ（Work）」および「Ｐ（Protection）」と表すことがある。また、「時計周り」および「反時計回り」のことをそれぞれ「右回り」および「左周り」を呼ぶことがある。さらに、光ＡＤＭ装置間を接続する光伝送路のことを「局間回線」と呼ぶことがある。
【００１９】
局間回線上では、基本的に、ＷＤＭにより波長多重信号が伝送される。ここでは、信号を伝送するために波長λ１〜λｎが使用されるものとする。また、信号は、基本的には、現用系伝送路を介して伝送される。そして、障害が発生した場合や、現用系伝送路をメンテナンスする場合などには、予備系伝送路が利用される。ただし、このネットワークは、後で説明するが、現用系伝送路を利用して一般の信号を伝送しながら、予備系伝送路を利用して優先度の低い信号を伝送するサービスを提供することもできる。
【００２０】
各光ＡＤＭ装置１ａ〜１ｄは、入力側の局間回線を介して受信した信号を出力側の対応する局間回線に出力する。また、各光ＡＤＭ装置１ａ〜１ｄは、それぞれ１本以上の局内回線を収容することができる。局内回線は、光ＡＤＭ装置と端末装置または他のノードとを接続するための光伝送路である。図１に示す例においては、端末装置２ａが局内回線を介して光ＡＤＭ装置１ａに接続されており、端末装置２ｂが局内回線を介して光ＡＤＭ装置１ｃに接続されている。そして、各光ＡＤＭ装置１ａ〜１ｄは、局内回線を介して送られてくる信号を局間回線に追加する機能、および局間回線を介して伝送されている信号を局内回線に導く機能を備えている。なお、前者の機能は「アド」と呼ばれ、後者の機能は「ドロップ」と呼ばれている。
【００２１】
さらに、図１に示すネットワークは、ＵＰＳＲ（Unidirectional Path Switched Ring ）を提供する。すなわち、光ＡＤＭ装置１ａ〜１ｄは、ＵＰＳＲを実現するための機能を備える。ＵＰＳＲは、異なる経路を介して互いに同じ信号を伝送することにより、障害発生時等にサービスの停止の回避するものである。具体的には、例えば、端末２ａから端末２ｂへデータが送られる場合には、光ＡＤＭ装置１ａは、端末２ａから受信した信号を時計回りで光ＡＤＭ装置１ｃへ送出すると共に、同じ信号を反時計回りで光ＡＤＭ装置１ｃへ送出する。そして、光ＡＤＭ装置１ｃは、上記２つの信号のうちの一方を選択し、それを局内回線を介して端末２ｂへ転送する。
【００２２】
なお、上記ネットワークにおいて障害が発生した場合は、予備系の局間回線が利用される。この場合、その障害に対応する光ＡＤＭ装置は、現用系伝送路を介して伝送されてきた信号を予備系伝送路に導いたり、或いは、予備系伝送路を介して伝送されてきた信号を現用系伝送路に導く処理を行う。
【００２３】
このように、各光ＡＤＭ装置は、任意の局間回線を介して伝送されてきた信号を所望の局間回線または局内回線に導くことができ、また、局内回線を介して伝送されてきた信号を所望の局間回線に導くことができる。
【００２４】
図２は、本実施形態の光ＡＤＭ装置１の概略構成図である。なお、この光ＡＤＭ装置は、例えば、図１に示した光ＡＤＭ装置１ａ〜１ｄのなかの任意の１つを表す。そして、光ＡＤＭ装置１には、４本の入力側局間回線、４本の出力側局間回線、および局内回線が接続されている。
【００２５】
各入力側局間回線からは、それぞれ波長多重光（λ１〜λｎ）が入力される。そして、各波長多重光は、それぞれ波長分波器５０１ａ〜５０１ｄにより波長ごとに分波され、対応するスイッチ回路１０−１〜１０−ｎに送られる。
【００２６】
スイッチ回路１０−１〜１０−ｎは、波長ごとに設けられた光スイッチ回路であり、入力信号を、不図示のコントローラにより指示された出力回線へ導く。なお、スイッチ回路１０−１〜１０−ｎは、互いに同じ構成であり、それぞれ主スイッチ部１１、ドロップ部１２、アド部１３を備える。また、上記コントローラは、主スイッチ部１１、ドロップ部１２、アド部１３の各スイッチング素子の状態を制御する。
【００２７】
主スイッチ部１１は、不図示のコントローラからの指示に従って、入力側局間回線と出力側局間回線、入力側局間回線とドロップ部１２、またはアド部１３と出力側局間回線とを接続する。ドロップ部１２は、局内回線（ドロップ回線）を終端し、主スイッチ部１１により分岐された信号をその局内回線へ導く。アド部１３は、局内回線（アド回線）を終端し、その局内回線を介して受信した信号を主スイッチ部１１へ導く。
【００２８】
スイッチ回路１０−１〜１０−ｎから出力された信号は、波長合波器５０３ａ〜５０３ｄにより多重化される。そして、多重化された波長多重信号は、出力側局間回線を介して次の光ＡＤＭ装置へ送出される。
【００２９】
図３は、第１の実施形態の光ＡＤＭ装置の構成図である。なお、光ＡＤＭ装置１は、図２を参照しながら説明したように、複数のスイッチ回路１０−１〜１０−ｎを備えるが、ここでは、それら複数のスイッチ回路のなかの任意の１つのみを示す。
【００３０】
波長分波器５０１ａ〜５０１ｄから出力される信号は、それぞれ光カプラ２１ａ〜２１ｄにより分岐される。なお、光カプラ２１ａ〜２１ｄは、それぞれ光スプリッタとして作用する。そして、光カプラ２１ａ〜２１ｄにより分岐された信号の一方は、それぞれ２×１スイッチ２２ａ〜２２ｄの第１の入力ポートに導かれ、他方はそれぞれドロップ部１２に導かれる。
【００３１】
２×１スイッチ２２ａ、２２ｂ、２２ｃ、２２ｄの各第２の入力ポートは、それぞれ、２×２スイッチ２４ｂの第１の出力ポート、２×２スイッチ２４ｂの第２の出力ポート、２×２スイッチ２４ａの第１の出力ポート、２×２スイッチ２４ａの第２の出力ポートに接続されている。また、２×１スイッチ２２ａ〜２２ｄから出力される信号は、それぞれ２×２スイッチ２３ａ〜２３ｄの第１の入力ポートに導かれる。
【００３２】
２×２スイッチ２３ａ〜２３ｄの各第２の入力ポートには、それぞれアド部１３から出力される信号が与えられる。また、２×２スイッチ２３ａ〜２３ｄの各第１の出力ポートから出力される信号は、それぞれ波長合波器５０３ａ〜５０３ｄに導かれる。一方、２×２スイッチ２３ａおよび２３ｂの各第２の出力ポートから出力される信号は、それぞれ２×２スイッチ２４ａに導かれ、２×２スイッチ２３ｃおよび２３ｄの各第２の出力ポートから出力される信号は、それぞれ２×２スイッチ２４ｂに導かれる。
【００３３】
２×２スイッチ２４ａおよび２４ｂから出力される信号は、上述したように、２×１スイッチ２２ａ〜２２ｄに導かれる。
なお、図３においては、光カプラ２１ａ〜２１ｄ、２×１スイッチ２２ａ〜２２ｄ、２×２スイッチ２３ａ〜２３ｄ、２×２スイッチ２４ａ、２４ｂにより主スイッチ部１１が構成されている。
【００３４】
ドロップ部１２は、光カプラ３１ａ〜３１ｄ、４×１スイッチ３２ａ、３２ｂを備える。また、ドロップ部１２には、２本の局内回線（Drop-1、Drop-2）が収容されている。
【００３５】
光カプラ３１ａ〜３１ｄは、それぞれ光カプラ２１ａ〜２１ｄからの信号を分岐する。なお、光カプラ３１ａ〜３１ｄは、それぞれ光スプリッタとして作用する。そして、光カプラ３１ａ〜３１ｄにより分岐された信号の一方は４×１スイッチ３２ａに導かれ、他方は４×１スイッチ３２ｂに導かれる。４×１スイッチ３２ａは、光カプラ３１ａ〜３１ｄからの信号のなかのいずれか１つを局内回線（Drop-1）に導く。一方、４×１スイッチ３２ｂは、光カプラ３１ａ〜３１ｄから信号のなかのいずれか１つを局内回線（Drop-2）に導く。
【００３６】
アド部１３は、光カプラ４１ａ、４１ｂ、２×２スイッチ４２ａ、４２ｂを備える。また、アド部１３には、２本の局内回線（Add-1 、Add-2 ）が収容されている。
【００３７】
光カプラ４１ａは、局内回線（Add-1 ）を介して受信した信号を分岐し、それらを２×２スイッチ４２ａおよび４２ｂに導く。一方、光カプラ４１ｂは、局内回線（Add-2）を介して受信した信号を分岐し、それらを２×２スイッチ４２ａおよび４２ｂに導く。なお、光カプラ４１ａおよび４１ｂは、それぞれ光スプリッタとして作用する。
【００３８】
２×２スイッチ４２ａの第１の出力ポートは、２×２スイッチ２３ａの第２の入力ポートに接続され、２×２スイッチ４２ａの第２の出力ポートは、２×２スイッチ２３ｂの第２の入力ポートに接続されている。同様に、２×２スイッチ４２ｂの第１の出力ポートは、２×２スイッチ２３ｃの第２の入力ポートに接続され、２×２スイッチ４２ｂの第２の出力ポートは、２×２スイッチ２３ｄの第２の入力ポートに接続されている。
【００３９】
上記構成において、２×１スイッチ２２ａ〜２２ｄは、入力側の局間回線からの信号を対応する出力側の局間回線に導くために設けられている。また、２×２スイッチ２３ａ〜２３ｄは、局間回線からの信号または局内回線からの信号の一方を選択して対応する出力側局間回線へ導くために設けられている。さらに、２×２スイッチ２４ａ、２４ｂは、現用系回線に出力すべき信号を予備系回線に導くと共に、予備系回線に出力すべき信号を現用系回線に導くために設けられている。
【００４０】
次に、図３に示す光ＡＤＭ装置１の動作を説明する。
隣接する光ＡＤＭ装置から局間回線を介して受信した信号をそのまま次の光ＡＤＭ装置へ送る場合は、２×１スイッチ２２ａ〜２２ｄ、および２×２スイッチ２３ａ〜２３ｄがそれぞれ「バー状態」に制御される。これにより、入力側局間回線（Ｗ右）を介して伝送されてきた信号は、光カプラ２１ａ、２×１スイッチ２２ａ、２×２スイッチ２３ａを経由して出力側局間回線（Ｗ右）に導かれる。同様に、他の入力側局間回線を介して伝送されてきた信号も、対応する出力側局間回線に導かれる。
【００４１】
なお、２×１スイッチにおいて、「バー状態」とは、第１の入力ポートの信号を出力ポートに導く状態といい、「クロス状態」とは、第２の入力ポートの信号を出力ポートに導く状態という。一方、２×２スイッチにおいて、「バー状態」とは、第１の入力ポートの信号を第１の出力ポートに導くと共に、第２の入力ポートの信号を第２の出力ポートに導く状態という。また、「クロス状態」とは、第１の入力ポートの信号を第２の出力ポートに導くと共に、第２の入力ポートの信号を第１の出力ポートに導く状態という。
【００４２】
入力側局間回線を介して伝送されてきた信号を局内回線にドロップする場合には、４×１スイッチ３２ａまたは３２ｂにおいて、対応する入力ポートが選択される。たとえば、入力側局間回線（Ｗ右）を介して伝送されてきた信号を局内回線（Drop-1）にドロップする場合には、４×１スイッチ３２ａにおいて、光カプラ３１ａに接続する入力ポートが選択される。
【００４３】
なお、光ＡＤＭ装置１では、局間回線から入力された信号は、光カプラ２１ａ〜２１ｄにより、出力側局間回線およびドロップ部１２の双方に導かれる。したがって、この光ＡＤＭ装置１は、局間回線から入力された信号を次の光ＡＤＭ装置に中継しながら、同じ信号を局内回線にドロップすることができる。また、ドロップ部１２においては、局間回線から入力された信号は、光カプラ３１ａ〜３１ｄにより、４×１スイッチ３２ａおよび３２ｂの双方に導かれる。従って、同一の信号を同時に２本の局内回線（Drop-1、Drop-2）にドロップできる。
【００４４】
局内回線からの信号を局間回線にアドする場合は、その信号をアドすべき出力側局間回線に対応する２×２スイッチ２３ａ〜２３ｄが「クロス状態」に制御される。また、２×２スイッチ４２ａまたは４２ｂは、アドすべき信号が対応する２×２スイッチ２３ａ〜２３に導かれるように制御される。たとえば、局内回線（Add-1 ）からの信号を局間回線（Ｗ右）にアドする場合には、２×２スイッチ２３ａが「クロス状態」に制御され、２×２スイッチ４２ａは上記信号を２×２スイッチ２３ａに導くように制御される。
【００４５】
ＵＰＳＲを実現する場合は、その信号をアドすべき２本の出力側局間回線に対応する２×２スイッチ２３ａ〜２３ｄが「クロス状態」に制御される。また、２×２スイッチ４２ａおよび４２ｂは、アドすべき信号が対応する２×２スイッチ２３ａ〜２３に導かれるように制御される。例えば、局内回線（Add-1 ）からの信号を局間回線（Ｗ右）および局間回線（Ｐ左）の双方にアドする場合には、２×２スイッチ２３ａおよび２３ｄが「クロス状態」に制御される。また、２×２スイッチ４２ａおよび４２ｂは、それぞれ上記信号を２×２スイッチ２３ａおよび２３ｄに導くように制御される。
【００４６】
なお、ＵＰＳＲを実現するネットワークにおいて、同じ信号を互いに異なる経路から受信した場合、ドロップ部１２は、それらのうちから一方の信号を選択する。例えば、局間回線（Ｗ右）および局間回線（Ｐ左）から同じ信号を受信し、局間回線（Ｗ右）からの信号を局内回線にドロップする場合には、４×１スイッチ３２ａまたは３２ｂは、光カプラ３１ａからの信号を選択する。
【００４７】
障害発生時には、現用系回線（Ｗ右、Ｗ左）から入力された信号を予備系回線（Ｐ右、Ｐ左）へ出力するスイッチング、または予備系回線から入力された信号を現用系回線へ出力するスイッチングが行われる。この場合、ルートを変更すべき信号が入力されている回線に対応する２×２スイッチ２３（２３ａ〜２３ｄ）が「クロス状態」に制御される。また、当該２×２スイッチ２３に接続する２×２スイッチ２４ａまたは２４ｂは、その信号を時計回りに伝送すべきか反時計回りに伝送すべきかに基づいて「クロス状態」または「バー状態」に制御される。さらに、当該２×２スイッチ２４に接続する２×１スイッチ２２（２２ａ〜２２ｄ）は、「クロス状態」に制御される。さらに、当該２×１スイッチ２２に接続する２×２スイッチ２３（２３ａ〜２３ｄ）は、「バー状態」に制御される。
【００４８】
例えば、局間回線（Ｗ右）から入力された信号を局間回線（Ｐ右）へ導く場合には、２×２スイッチ２３ａおよび２×１スイッチ２２ｃが「クロス状態」に制御される。ここで、他のスイッチは、基本的に、「バー状態」に制御されているものとする。この場合、局間回線（Ｗ右）から入力された信号は、２×１スイッチ２２ａ、２×２スイッチ２３ａ、２×２スイッチ２４ａ、２×１スイッチ２２ｃ、および２×２スイッチ２３ｃを介して局間回線（Ｐ右）へ導かれる。あるいは、局間回線（Ｗ右）から入力された信号を局間回線（Ｐ左）へ導く場合には、２×２スイッチ２３ａ、２×２スイッチ２４ａ、および２×１スイッチ２２ｄが「クロス状態」に制御される。この場合、局間回線（Ｗ右）から入力された信号は、２×１スイッチ２２ａ、２×２スイッチ２３ａ、２×２スイッチ２４ａ、２×１スイッチ２２ｄ、および２×２スイッチ２３ｄを介して局間回線（Ｐ左）へ導かれる。
【００４９】
なお、上記構成の光ＡＤＭ装置１は、図２５または図２７に示した従来の構成と比較して、光スイッチング素子の数が大幅に削減されている。すなわち、図２５に示した光ＡＤＭ装置では、図２を参照しながら説明したように、４８個の光スイッチング素子が必要である。また、図２７に示した構成では、３×２スイッチ、４×４スイッチ、４×２スイッチが、それぞれ６個、１６個、８個の光スイッチング素子を必要とするので、合計で、５０（＝６×４＋１６＋８＋２）個の光スイッチング素子が必要になる。
【００５０】
これに対して、図３に示す光ＡＤＭ装置１は、８個の２×２スイッチ、４個の２×１スイッチ、および２個の４×１スイッチを備える。ここで、４×１スイッチは、３個の２×１スイッチにより構成される。また、２×２スイッチおよび２×１スイッチは、それぞれ１個の光スイッチング素子で実現できる。従って、光ＡＤＭ装置１が備える光スイッチング素子の数は、１８（＝８＋４＋３×２）個になる。
【００５１】
また、本実施形態の光ＡＤＭ装置において使用するスイッチング素子（２×２スイッチ、２×１スイッチ等）は、例えば、ＭＥＭＳ（マイクロ・メカニカル・マシン・システム）技術を利用した反射型スイッチ、マッハツェンダ型のスイッチ、あるいは方向性結合型スイッチなどにより実現可能である。特に、ＭＥＭＳ技術を利用した反射型スイッチは、小型であり且つその制御が簡単なので、スイッチ回路の小型化に寄与する。また、スイッチング素子を形成するための素材としては、例えば、半導体またはＬｉＮｂＯ3 等が使用される。
【００５２】
図４は、第２の実施形態の光ＡＤＭ装置の構成図である。第２の実施形態の光ＡＤＭ装置は、ドロップ部１２の構成が図３に示した第１の実施形態と異なっている。
【００５３】
第２の実施形態の光ＡＤＭ装置のドロップ部１２は、２×２スイッチ３３ａ、３３ｂ、および２×１スイッチ３４ａ、３４ｂを備える。２×２スイッチ３３ａは、局間回線（Ｗ右、Ｗ左）を介して伝送されてきた信号を、２×１スイッチ３４ａおよび／または３４ｂへ導く。同様に、２×２スイッチ３３ｂは、局間回線（Ｐ右、Ｐ左）を介して伝送されてきた信号を、２×１スイッチ３４ａおよび／または３４ｂへ導く。また、２×１スイッチ３４ａは、２×２スイッチ３３ａおよび３３ｂから受信した信号の一方を局内回線（Drop-1）に導く。同様に、２×１スイッチ３４ｂは、２×２スイッチ３３ａおよび３３ｂから受信した信号の一方を局内回線（Drop-2）に導く。
【００５４】
図４に示す光ＡＤＭ装置は、１０個の２×２スイッチ、および６個の２×１スイッチを備える。したがって、この光ＡＤＭ装置が備える光スイッチング素子の数は、１６（＝１０＋６）個になる。
【００５５】
なお、第２の実施形態の光ＡＤＭ装置の動作は、基本的に、上述した第１の実施形態と同じなので、説明を省略する。
図５は、第３の実施形態の光ＡＤＭ装置の構成図である。なお、第３の実施形態の光ＡＤＭ装置が使用されるシステムでは、局間回線だけでなく、局内回線についても現用系および予備系が構築されているものとする。ここでは、ドロップ部１２に４本の局内回線（Drop-1-W、Drop-1-P、Drop-2-W、Drop-2-P）が接続されており、アド部１２に４本の局内回線（Add-1-W 、Add-1-P、Add-2-W 、Add-2-P ）が接続されている。
【００５６】
ドロップ部１２は、４個の２×２スイッチ３３ａ、３３ｂ、３５ａ、３５ｂを備える。そして、２×２スイッチ３３ａは、局間回線（Ｗ右、Ｗ左）を介して伝送されてきた信号を、２×２スイッチ３５ａおよび／または３５ｂへ導く。同様に、２×２スイッチ３３ｂは、局間回線（Ｐ右、Ｐ左）を介して伝送されてきた信号を、２×２スイッチ３５ａおよび／または３５ｂへ導く。また、２×２スイッチ３５ａは、２×２スイッチ３３ａおよび３３ｂから受信した信号を局内回線（Drop-1-W、Drop-1-P）に導く。同様に、２×２スイッチ３５ｂは、２×２スイッチ３３ａおよび３３ｂから受信した信号を局内回線（Drop-2-w、Drop-2-P）に導く。
【００５７】
上記構成により、ある局間回線から入力された信号を、４本の局内回線の中の所望の回線にドロップすることができる。
アド部１２は、４個の２×２スイッチ４２ａ、４２ｂ、４３ａ、４３ｂを備える。そして、２×２スイッチ４３ａは、局内回線（Add-1-W 、Add-1-P ）を介して伝送されてきた信号を、２×２スイッチ４２ａおよび／または４２ｂへ導く。同様に、２×２スイッチ４３ｂは、局内回線（Add-2-W、Add-2-P ）を介して伝送されてきた信号を、２×２スイッチ４２ａおよび／または４２ｂへ導く。さらに、２×２スイッチ４２ａは、２×２スイッチ４３ａおよび４３ｂから受信した信号を２×２スイッチ２３ａおよび２３ｂに導く。同様に、２×２スイッチ４２ｂは、２×２スイッチ４３ａおよび４３ｂから受信した信号を２×２スイッチ２３ｃおよび２３ｄに導く。
【００５８】
上記構成により、現用系または予備系の局内回線から入力された信号を、所望の局間回線にアドすることができる。
図６は、第４の実施形態の光ＡＤＭ装置の構成図である。第４の実施形態の光ＡＤＭ装置は、通常信号およびその通常信号よりも優先度の低い信号が混在するシステムにおいて使用される。ここで、通常信号は、基本的に、現用系回線を介して伝送される。一方、低優先信号は、通常信号により予備系回線が使用されていない場合に、その予備系回線を介して伝送される。したがって、通常信号が何らかの理由で予備系回線を介して伝送される場合には、低優先信号は、その伝送が停止される。なお、低優先信号は、この明細書では、"Extra Traffic" と呼ぶことがある。
【００５９】
第４の実施形態の光ＡＤＭ装置の基本構成は、図３に示した第１の実施形態と同じであるが、低優先信号をドロップするための機能がドロップ部１２に設けられており、また、低優先信号をアドするための機能がアド部１３に設けられている。なお、ドロップ部１２は４本の局内回線（Drop-1、Drop-2、ET-1、ET-2）を収容し、アド部１３は４本の局内回線（Add-1 、Add-2 、ET-1、ET-2）を収容する。
【００６０】
ドロップ部１２は、図３に示した光カプラ３１ａ〜３１ｄ、および４×１スイッチ３２ａ、３２ｂに加えて、１×２スイッチ３６ａ、３６ｂ、および２×２スイッチ３７を備える。１×２スイッチ３６ａは、光カプラ２１ｃと光カプラ３１ｃとの間に設けられ、光カプラ２１ｃからの信号を光カプラ３１ｃまたは２×２スイッチ３７へ導く。一方、１×２スイッチ３６ｂは、光カプラ２１ｄと光カプラ３１ｄとの間に設けられ、光カプラ２１ｄからの信号を光カプラ３１ｄまたは２×２スイッチ３７へ導く。そして、２×２スイッチ３７は、１×２スイッチ３６ａおよび３６ｂから出力される信号を局内回線（ET-1、ET-2）へ導く。
【００６１】
アド部１３は、図３に示した光カプラ４１ａ、４１ｂ、および２×２スイッチ４２ａ、４２ｂに加えて、２×２スイッチ４４、および２×１スイッチ４５ａ、４５ｂを備える。２×２スイッチ４４は、局内回線（ET-1、ET-2）からの信号を２×１スイッチ４５ａおよび４５ｂへ導く。スイッチ４５ａは、２×２スイッチ４２ｂと２×２スイッチ２３ｃとの間に設けられ、２×２スイッチ４２ｂからの信号または２×２スイッチ４４からの信号を選択して２×２スイッチ２３ｃへ導く。一方、スイッチ４５ｂは、２×２スイッチ４２ｂと２×２スイッチ２３ｄとの間に設けられ、２×２スイッチ４２ｂからの信号または２×２スイッチ４４からの信号を選択して２×２スイッチ２３ｄへ導く。
【００６２】
上記構成の光ＡＤＭ装置において、低優先信号を局間回線にアドする場合は、２×２スイッチ４４は、その低優先信号を時計回り方向に伝送するのか反時計回り方向に伝送するのかに従って制御される。また、２×１スイッチ４５ａ、４５ｂは、２×２スイッチ４４からの信号を選択するように制御される。さらに、２×２スイッチ２３ｃまたは２３ｄは、２×１スイッチ４５ａまたは４５ｂからの信号を出力側の局間回線に導くように制御される。
【００６３】
例えば、局内回線（ET-1）からの低優先信号を局間回線（Ｐ右）にアドする場合は、２×２スイッチ４４が「クロス状態」に制御され、２×１スイッチ４５ａが２×２スイッチ４４からの信号を選択するように制御され、２×２スイッチ２３ｃが「クロス状態」に制御される。これにより、局内回線（ET-1）からの低優先信号は、２×２スイッチ４４、２×１スイッチ４５ａ、２×２スイッチ２３ｃを介して局間回線（Ｐ右）に導かれる。
【００６４】
なお、予備系の局間回線（Ｐ右、Ｐ左）が通常信号を伝送するために使用される場合は、２×１スイッチ４５ａ、４５ｂは、それぞれ２×２スイッチ４２ｂからの信号を選択するように制御される。これにより、低優先信号が局間回線にアドされることが停止される。
【００６５】
局間回線から低優先信号をドロップする場合は、１×２スイッチ３６ａ、３６ｂは、光カプラ２１ｃ、２１ｄからの信号を２×２スイッチ３７へ導くように制御される。そして、２×２スイッチ３７は、受信した信号を所定の局内回線（ET-1、ET-2）へ導くように制御される。
【００６６】
例えば、局間回線（Ｐ右）から局内回線（ET-1）へ低優先信号をドロップする場合は、１×２スイッチ３６ａが光カプラ２１ｃからの信号を２×２スイッチ３７へ導くように制御され、２×２スイッチ３７が「クロス状態」に制御される。これにより、局間回線（Ｐ右）からの低優先信号は、１×２スイッチ３６ａおよび２×２スイッチ３７を介して局内回線（ET-1）へ導かれる。
【００６７】
なお、予備系の局間回線（Ｐ右、Ｐ左）が通常信号を伝送するために使用される場合は、１×２スイッチ３６ａ、３６ｂは、それぞれ光カプラ２１ｃ、２１ｄからの信号を光カプラ３１ｃ、３１ｄに導くように制御される。これにより、予備系の局間回線を介して伝送される通常信号が局内回線（Drop-1、Drop-2）にドロップされることになる。
【００６８】
図７は、第５の実施形態の光ＡＤＭ装置の構成図である。第５の実施形態の光ＡＤＭ装置は、図６に示した第４の実施形態の１×２スイッチ３６ａ、３６ｂをそれぞれ光カプラ３８ａ、３８ｂに置き換えることにより実現される。ここで、光カプラ３８ａは、光カプラ２１ｃからの信号を光カプラ３１ｃおよび２×２スイッチ３７の双方に導く。また、光カプラ３８ｂは、光カプラ２１ｄからの信号を光カプラ３１ｄおよび２×２スイッチ３７の双方に導く。なお、光カプラ３８ａおよび３８ｂは、光スプリッタとして作用する。
【００６９】
第５の実施形態の光ＡＤＭ装置の動作は、基本的に、第４の実施形態を参照しながら説明した通りである。ただし、第５の実施形態の構成においては、予備系の局間回線（Ｐ右、Ｐ左）を介して低優先信号が伝送されている場合は、その低優先信号は、２×２スイッチ３７だけでなく、４×１スイッチ３２ａおよび３２ｂにも導かれる。したがって、４×１スイッチ３２ａおよび３２ｂは、現用系の局間回線（Ｗ右、Ｗ左）からの信号を選択するように適切に制御される必要がある。
【００７０】
図８は、第６の実施形態の光ＡＤＭ装置の構成図である。第６の実施形態の光ＡＤＭ装置の基本構成は、図４に示した第２の実施形態と同じであるが、低優先信号をドロップするための機能がドロップ部１２に設けられており、また、低優先信号をアドするための機能がアド部１３に設けられている。
【００７１】
低優先信号をドロップするための機能は、第４の実施形態と同様に、１×２スイッチ３６ａ、３６ｂ、および２×２スイッチ３７により実現される。ただし、１×２スイッチ３６ａは、光カプラ２１ｃからの信号を、２×２スイッチ３３ｂまたは２×２スイッチ３７へ導く。また、１×２スイッチ３６ｂは、光カプラ２１ｄからの信号を、２×２スイッチ３３ｂまたは２×２スイッチ３７へ導く。一方、低優先信号をアドするための機能は、第４の実施形態と同様に、２×２スイッチ４４、および２×１スイッチ４５ａ、４５ｂにより実現される。従って、低優先信号をアド／ドロップする方法は、第４の実施形態と同じである。
【００７２】
図９は、第７の実施形態の光ＡＤＭ装置の構成図である。第７の実施形態の光ＡＤＭ装置は、図８に示した第６の実施形態の１×２スイッチ３６ａ、３６ｂをそれぞれ光カプラ３８ａ、３８ｂに置き換えることにより実現される。ここで、光カプラ３８ａは、光カプラ２１ｃからの信号を２×２スイッチ３３ｂおよび２×２スイッチ３７の双方に導く。また、光カプラ３８ｂは、光カプラ２１ｄからの信号を２×２スイッチ３３ｂおよび２×２スイッチ３７の双方に導く。したがって、低優先信号をアド／ドロップする方法は第５の実施形態と同じである。
【００７３】
図１０は、第８の実施形態の光ＡＤＭ装置の構成図である。第８の実施形態の光ＡＤＭ装置の基本構成は、図５に示した第３の実施形態と同じであるが、低優先信号をドロップするための機能がドロップ部１２に設けられており、また、低優先信号をアドするための機能がアド部１３に設けられている。
【００７４】
低優先信号をドロップするための機能は、第４の実施形態または第６の実施形態と同様に、１×２スイッチ３６ａ、３６ｂ、および２×２スイッチ３７により実現される。一方、低優先信号をアドするための機能は、第４の実施形態または第６の実施形態と同様に、２×２スイッチ４４、および２×１スイッチ４５ａ、４５ｂにより実現される。従って、低優先信号をアド／ドロップする方法は、第４の実施形態または第６の実施形態と同じである。
【００７５】
図１１は、第９の実施形態の光ＡＤＭ装置の構成図である。第９の実施形態の光ＡＤＭ装置は、図１０に示した第８の実施形態の１×２スイッチ３６ａ、３６ｂをそれぞれ光カプラ３８ａ、３８ｂに置き換えることにより実現される。ここで、光カプラ３８ａは、光カプラ２１ｃからの信号を２×２スイッチ３３ｂおよび２×２スイッチ３７の双方に導く。また、光カプラ３８ｂは、光カプラ２１ｄからの信号を２×２スイッチ３３ｂおよび２×２スイッチ３７の双方に導く。したがって、低優先信号をアド／ドロップする方法は、第５の実施形態または第７の実施形態と同じである。
【００７６】
図１２は、第１０の実施形態の光ＡＤＭ装置の構成図である。なお、図１２においては、ドロップ部１２およびアド部１３として図３に示した構成が描かれているが、図４〜図１１に示した構成が使用されてもよい。
【００７７】
４本の入力側局間回線は、それぞれ光サーキュレータ５１ａ〜５１ｄのａポートに接続される。また、４本の出力側局間回線は、それぞれ光サーキュレータ５１ａ〜５１ｄのｃポートに接続される。そして、光サーキュレータ５１ａ〜５１ｄのｂポートは、それぞれ波長合分波器５２ａ〜５２ｄに接続される。なお、各光サーキュレータ５１ａ〜５１ｄは、それぞれ、ａポートから入力された信号をｂポートへ導き、ｂポートから入力された信号をｃポートへ導く。したがって、入力側局間回線から入力される波長多重光（λ１〜λｎ）は、それぞれ波長合分波器５２ａ〜５２ｄに導かれる。
【００７８】
波長合分波器５２ａ〜５２ｄは、それぞれ光サーキュレータ５１ａ〜５１ｄから受信した波長多重光を波長ごとに分波し、対応するスイッチ回路に送信する。なお、スイッチ回路は、図２を参照しながら説明したように、波長ごとに設けられている。
【００７９】
波長合分波器５２ａ〜５２ｄにより分波された信号は、それぞれ光サーキュレータ５３ａ〜５３ｄのａポートに与えられる。また、光サーキュレータ５３ａ〜５３ｄのｂポートは、それぞれ光カプラ２１ａ〜２１ｄに接続される。さらに、光サーキュレータ５３ａ〜５３ｄのｃポートは、それぞれ２×２スイッチ２３ａ〜２３ｄの第１の出力ポートに接続されている。なお、各光サーキュレータ５３ａ〜５３ｄは、それぞれ、ａポートから入力された信号をｂポートへ導き、ｃポートから入力された信号をａポートへ導く。したがって、波長合分波器５２ａ〜５２ｄにより分波された信号は、それぞれ光カプラ２１ａ〜２１ｄに導かれる。また、２×２スイッチ２３ａ〜２３ｄの第１の出力ポートから出力される信号はそれぞれ波長合分波器５２ａ〜５２ｄに導かれる。
【００８０】
なお、光カプラ２１ａ〜２１ｄ、２×１スイッチ２２ａ〜２２ｄ、２×２スイッチ２３ａ〜２３ｄ、２×２スイッチ２４ａ、２４ｂ、ドロップ部１２、およびアド部１３については、図３〜図１１を参照しながら説明した通りなので、ここではその説明を省略する。
【００８１】
上記構成において、入力側局間回線から入力される波長多重光は、それぞれ光サーキュレータ５１ａ〜５１ｄにより波長合分波器５２ａ〜５２ｄに導かれ、それぞれ波長ごとに分波される。そして、分波された信号は、それぞれ光サーキュレータ５３ａ〜５３ｄにより光カプラ２１ａ〜２１ｄに導かれる。
【００８２】
光カプラ２１ａ〜２１ｄ、２×１スイッチ２２ａ〜２２ｄ、２×２スイッチ２３ａ〜２３ｄ、２×２スイッチ２４ａ、２４ｂ、ドロップ部１２、及びアド部１３の動作は、上述した通りである。従って、出力側局間回線へ導くべき信号は、２×２スイッチ２３ａ〜２３ｄから出力される。２×２スイッチ２３ａ〜２３ｄから出力された信号は、それぞれ光サーキュレータ５３ａ〜５３ｄにより波長合分波器５２ａ〜５２ｄに導かれ、他のスイッチ回路から出力される信号と合波される。そして、波長合分波器５２ａ〜５２ｄから出力される波長多重光は、それぞれ光サーキュレータ５１ａ〜５１ｄにより出力側局間回線へ導かれる。なお、局内回線（Add-1 、Add-2 ）からの信号を所定の局間回線にアドする場合、その信号は、その局間回線に対応する２×２スイッチ２３、光サーキュレータ５３、波長合分波器５２、光サーキュレータ５１を介してその局間回線に導かれる。
【００８３】
図１３は、第１１の実施形態の光ＡＤＭ装置の構成図である。なお、主スイッチ部１１、ドロップ部１２、アド部１３は、図３〜図１２の中の任意の構成でよい。
【００８４】
第１１の実施形態の光ＡＤＭ装置は、各信号が通過するスイッチング素子の数に応じて、それらの信号の光レベルを補正する機能を備える。そして、この機能は、２×２スイッチ２３ａ〜２３ｄの各第１の出力ポートと合波器５０３ａ〜５０３ｄとの間に設けられる可変減衰器（ＶＡＴ：Variable Attenuator ）６１ａ〜６１ｄ、および可変減衰器６１ａ〜６１ｄの減衰量を制御するＶＡＴ監視制御部６２により実現される。
【００８５】
ＶＡＴ監視制御部６２は、当該光ＡＤＭ装置内の各スイッチの状態に応じて可変減衰器６１ａ〜６１ｄを制御するための制御信号を生成する。具体的には、ＶＡＴ監視制御部６２は、スイッチ切り替え情報に基づき、各出力側局間回線に導かれる信号が当該光ＡＤＭ装置内で通過したスイッチの数を検出し、その検出数に応じて制御信号を生成する。ここで、スイッチ切り替え情報は、各スイッチの状態（例えば、バー状態／クロス状態）を指示する情報であり、不図示のコントローラにより生成される。
【００８６】
例えば、局間回線（Ｗ右）から入力された信号がそのまま局間回線（Ｗ右）へ出力される場合は、その信号は、２×１スイッチ２２ａ、２×２スイッチ２３ａを介して出力側局間回線に導かれるので、この場合、この信号が通過するスイッチの数は「２」である。一方、局間回線（Ｗ右）から入力された信号が局間回線（Ｐ左）へ出力される場合は、その信号は、２×１スイッチ２２ａ、２×２スイッチ２３ａ、２×２スイッチ２４ａ、２×１スイッチ２２ｄ、２×２スイッチ２３ｄを介して出力側局間回線に導かれるので、この場合、この信号が通過するスイッチの数は「５」である。ここで、各スイッチにおける光レベルの損失を０．３ｄＢとすると、上記２つの経路上での損失の差は、約０．９ｄＢとなる。
【００８７】
ＶＡＴ監視制御部６２は、このような損失の差を補償するように、可変減衰器６１ａ〜６１ｄの減衰量を制御する。したがって、この構成の光ＡＤＭ装置においては、各局間回線へ送出される信号の光レベルが互いに同じになる。
【００８８】
図１４は、第１２の実施形態の光ＡＤＭ装置の構成図である。第１２の実施形態の光ＡＤＭ装置も、第１１の実施形態と同様に、各局間回線に送出すべき信号の光レベルを同じにする機能を備える。ただし、この機能は、第１１の実施形態と異なる構成により実現される。
【００８９】
この光ＡＤＭ装置では、２×２スイッチ２３ａ〜２３ｄの各第１の出力ポートと合波器５０３ａ〜５０３ｄとの間に、それぞれ可変減衰器６１ａ〜６１ｄ、および光カプラ６３ａ〜６３ｄが設けられる。光カプラ６３ａ〜６３ｄは、それぞれ光スプリッタとして作用し、可変減衰器６１ａ〜６１ｄから出力される信号を分岐して合波器５０３ａ〜５０３ｄおよびＶＡＴ監視制御部６４に導く。このとき、光カプラ６３ａ〜６３ｄの分岐比は、ｎ：１（ｎは、１と比べて十分に大きな値）であり、ＶＡＴ監視制御部６４に導かれる信号の光レベルは、局間回線へ出力される信号のそれと比較して十分に小さい。
【００９０】
ＶＡＴ監視制御部６４は、光カプラ６３ａ〜６３ｄから送られてくる各信号の光レベルをモニタし、それらが互いに一致するように可変減衰器６１ａ〜６１ｄの減衰量を制御する。すなわち、局間回線に送出すべき信号の光レベルがフィードバック制御される。これにより、各局間回線へ送出される信号の光レベルが互いに同じになる。
【００９１】
図１５は、第１３の実施形態の光ＡＤＭ装置の構成図である。第１３の実施形態の光ＡＤＭ装置は、各局間回線毎に波長多重光を等化する機能を備えている。そして、この機能は、２×２スイッチ２３ａ〜２３ｄの各第１の出力ポートと合波器５０３ａ〜５０３ｄとの間に設けられる可変減衰器６１ａ〜６１ｄ、各合波器５０３ａ〜５０３ｄの出力に設けられる光カプラ６５ａ〜６５ｄ、および可変減衰器６１ａ〜６１ｄの減衰量を制御するＶＡＴ監視制御部６６により実現される。なお、図１５では、ある１つの波長についてのスイッチ回路のみが描かれているが、ＶＡＴ監視制御部６６は、すべてのスイッチ回路１０−１〜１０−ｎの可変減衰器６１ａ〜６１ｄを一括して制御する。
【００９２】
光カプラ６５ａ〜６５ｄは、それぞれ光スプリッタとして作用し、合波器５０３ａ〜５０３ｄから出力される波長多重光を対応する局間回線へ送出すると共にその一部をＶＡＴ監視制御部６６に導く。ここで、光カプラ６５ａ〜６５ｄの分岐比は、ｎ：１（ｎは、１と比べて十分に大きな値）であり、ＶＡＴ監視制御部６４に導かれる波長多重光の光レベルは、局間回線へ出力される波長多重光のそれと比較して十分に小さい。
【００９３】
ＶＡＴ監視制御部６６は、光カプラ６５ａ〜６５ｄから送られてくる各波長多重光のそれぞれについて波長特性をモニタする。具体的には、各波長多重光に含まれている各チャネルの光レベルをモニタする。そして、ＶＡＴ監視制御部６６は、各局間回線ごとに、波長多重光が等化されるように、スイッチ回路１０−１〜１０−ｎの可変減衰器６１ａ〜６１ｄの減衰量を制御する。これにより、各局間回線へ送出される波長多重光がそれぞれ等化される。
【００９４】
図１６は、第１４の実施形態の光ＡＤＭ装置の構成図である。第１４の実施形態の光ＡＤＭ装置は、図１３〜図１５に示した第１１〜１３の実施形態に記載した機能を組み合わせることにより実現される。なお、図１６に示す光ＡＤＭ装置は、第１１〜１３の実施形態として説明した３つの機能を備える構成であるが、それら３つの機能のうちの任意の２つの機能を備える構成であってもよい。
【００９５】
なお、図１３〜図１６に示した構成では、信号の光レベルを調整するために可変減衰器６１ａ〜６１ｄが設けられているが、可変減衰器の代わりに光りアンプが使用されてもよい。
【００９６】
次に、本実施形態の光ＡＤＭ装置が提供する障害復旧機能について説明する。以下では、複数の光ＡＤＭ装置がリング状に接続された通信ネットワークにおいて障害が発生した場合を想定する。
【００９７】
第１の実施例
この実施例では、図１７(a) に示すように、６台の光ＡＤＭ装置（ＡＤＭ＃１〜ＡＤＭ＃６）がリング状に接続されたネットワークが構築されているものとする。ここで、各光ＡＤＭ装置間は、図１を参照しながら説明したように、それぞれ４本の局間回線（Ｗ右、Ｗ左、Ｐ右、Ｐ左）により接続されている。そして、現在、ある波長λ１を利用して、チャネルＡ〜Ｃが設定されている。なお、チャネルＡは、２本の現用系回線（Ｗ右、Ｗ左）を利用してＡＤＭ＃１とＡＤＭ＃４との間で双方向に信号を伝送するための通信路である。同様に、チャネルＢは、２本の現用系回線を利用してＡＤＭ＃１とＡＤＭ＃５との間で双方向に信号を伝送するための通信路であり、チャネルＣは、２本の現用系回線を利用してＡＤＭ＃４とＡＤＭ＃５との間で双方向に信号を伝送するための通信路である。
【００９８】
上記状態において、図１７(b) に示すように、ＡＤＭ＃２とＡＤＭ＃３との間の伝送路に障害が発生したものとする。ここでは、ＡＤＭ＃２とＡＤＭ＃３との間に敷設されている４本の光ファイバのすべてに障害が発生したものとする。この場合、チャネルＡを復旧させるために動作が行われる。
【００９９】
図１８は、ＢＬＳＲ（Bi-directional Line Switched Ring ）におけるループバック動作を利用してチャネルＡを復旧させた状態を示す図である。
図１８に示すループバック動作は、障害が発生した伝送路に接続する光ＡＤＭ装置において、現用系回線から受信した信号を予備系回線に出力すると共に、予備系回線から受信した信号を現用系回線に出力することにより実現される。この実施例では、ＡＤＭ＃２およびＡＤＭ＃３において上記スイッチングが行われている。そして、この結果、ＡＤＭ＃１からＡＤＭ＃４へ向かう信号は、まず現用系回線を利用してＡＤＭ＃２に伝送され、続いて予備系回線を利用してＡＤＭ＃１、ＡＤＭ＃６、ＡＤＭ＃５、ＡＤＭ＃４を介してＡＤＭ＃３へ伝送され、その後現用系回線を利用してＡＤＭ＃４へ伝送される。一方、ＡＤＭ＃４からＡＤＭ＃１へ向かう信号は、同様の経路を逆方向に伝送される。
【０１００】
図１９は、図１８に示したループバック動作を実現するための光ＡＤＭ装置の動作を示す図である。ここでは、図１８に示すＡＤＭ＃２のスイッチング動作が描かれている。
【０１０１】
ＡＤＭ＃２は、ネットワークが図１７(a) に示す状態のときは、局間回線（Ｗ右）を介して受信した信号を局間回線（Ｗ右）に出力し、局間回線（Ｗ左）を介して受信した信号を局間回線（Ｗ左）に出力する。このとき、図１７(b)に示すように、ＡＤＭ＃２とＡＤＭ＃３との間の伝送路に障害が発生すると、ＡＤＭ＃２は、ＡＤＭ＃３から送出される信号を受信できなくなる。すなわち、ＡＤＭ＃２は、局間回線（Ｗ左）から信号を受信できなくなる。そして、ＡＤＭ＃２は、このことを検出すると、各スイッチを以下のように制御する。
【０１０２】
２×１スイッチ２２ａは「バー状態」に制御される。２×２スイッチ２３ａは「クロス状態」に制御される。２×２スイッチ２４ａは「クロス状態」に制御される。２×１スイッチ２２ｄは「クロス状態」に制御される。そして、２×２スイッチ２３ｄは「バー状態」に制御される。これにより、ＡＤＭ＃１から送出された信号は、局間回線（Ｗ右）を介してＡＤＭ＃２に入力されると、図１９において実線で示すように、２×１スイッチ２２ａ、２×２スイッチ２３ａ、２×２スイッチ２４ａ、２×１スイッチ２２ｄ、２×２スイッチ２３ｄを経由して局間回線（Ｐ左）へ導かれる。
【０１０３】
上記スイッチング動作は、ＡＤＭ＃３においても同様に行われる。ただし、ＡＤＭ＃３では、ＡＤＭ＃４から局間回線（Ｗ左）を利用して送出された信号を、局間回線（Ｐ右）へループバックするスイッチングが行われる。したがって、ＡＤＭ＃２は、ＡＤＭ＃４から送出された信号を局間回線（Ｐ右）を介して受信することになる。そして、ＡＤＭ＃２は、各スイッチを以下のように制御する。
【０１０４】
２×１スイッチ２２ｃは「バー状態」に制御される。２×２スイッチ２３ｃは「クロス状態」に制御される。２×２スイッチ２４ｂは「クロス状態」に制御される。２×１スイッチ２２ｂは「クロス状態」に制御される。そして、２×２スイッチ２３ｂは「バー状態」に制御される。これにより、ＡＤＭ＃４から送出された信号は、局間回線（Ｐ右）を介してＡＤＭ＃２に入力されると、図１９において破線で示すように、２×１スイッチ２２ｃ、２×２スイッチ２３ｃ、２×２スイッチ２４ｂ、２×１スイッチ２２ｂ、２×２スイッチ２３ｂを経由して局間回線（Ｗ左）へ導かれる。
【０１０５】
なお、このスイッチング動作は、ＡＤＭ＃３においても同様に行われる。ただし、ＡＤＭ＃３では、局間回線（Ｐ左）を介して伝送される信号を局間回線（Ｗ右）へループバックするスイッチングが行われる。
【０１０６】
このように、本実施形態の光ＡＤＭ装置は、ＢＬＳＲにおけるループバック機能により、障害からの復旧を実現することができる。
第２の実施例
この実施例のネットワークの構成および障害発生前の運用状態は、図２０(a) に示すように、第１の実施例と同じであるものとする。
【０１０７】
この状態において、図２０(b) に示すように、ＡＤＭ＃５とＡＤＭ＃６との間の伝送路に障害が発生したものとする。ここでは、ＡＤＭ＃５とＡＤＭ＃６との間に敷設されている４本の光ファイバのすべてに障害が発生したものとする。この場合、チャネルＢを復旧させるために動作が行われる。
【０１０８】
図２１は、ＢＰＳＲ（Bi-directional Path Switched Ring ）におけるダイバーススイッチング（Diverse Switching）を利用してチャネルＢを復旧させた状態を示す図である。
【０１０９】
ダイバーススイッチングを利用した復旧は、障害により切断されたチャネルに信号をアドしている光ＡＤＭ装置、およびそのチャネルから信号をドロップしている光ＡＤＭ装置において適切なスイッチングを行うことにより実現される。具体的には、上記チャネルに信号をアドする光ＡＤＭ装置は、ある方向に向かう現用系回線に信号をアドする状態から、他の方向に向かう予備系回線に信号をアドする状態にスイッチング状態を切り替える。一方、上記チャネルから信号をドロップする光ＡＤＭ装置は、ある方向に向かう現用系回線から信号をドロップする状態から、他の方向に向かう予備系回線から信号をドロップする状態にスイッチング状態を切り替える。
【０１１０】
この実施例では、ＡＤＭ＃１およびＡＤＭ＃５において上記スイッチングが行われている。そして、この結果、ＡＤＭ＃１からＡＤＭ＃５へ向かう信号は、予備系回線を利用してＡＤＭ＃２、ＡＤＭ＃３、ＡＤＭ＃４を介してＡＤＭ＃５へ伝送される。一方、ＡＤＭ＃５からＡＤＭ＃１へ向かう信号は、同様の経路を逆方向に伝送される。
【０１１１】
なお、伝送路の障害は、基本的に、その障害が発生した伝送路に接続される光ＡＤＭ装置において検出される。したがって、信号をアド／ドロップする光ＡＤＭ装置が、障害の発生した伝送路に接続されていない場合は、その障害を検出した光ＡＤＭ装置から信号をアド／ドロップする光ＡＤＭ装置に対して障害が発生した旨が通知される。そして、信号をアド／ドロップする光ＡＤＭ装置が、その通知に基づいてダイバーススイッチングを行う。なお、この通知は、障害が発生していない局間回線を利用して行われてもよいし、他の伝送媒体を利用して行われてもよい。
【０１１２】
図２２は、図２１に示したダイバーススイッチング動作を実現するための光ＡＤＭ装置の動作を示す図である。ここでは、ＡＤＭ＃５のスイッチング動作が描かれている。
【０１１３】
ＡＤＭ＃５は、障害が発生する前は、図２２において破線で示すように、局内回線（Add-1 ）からの信号を局間回線（Ｗ右）へ導いている。このとき、図２１(b) に示すように、ＡＤＭ＃５とＡＤＭ＃６との間の伝送路に障害が発生し、その旨を表す通知を受け取ると、ＡＤＭ＃５は、各スイッチを以下のように制御する。すなわち、２×２スイッチ４２ｂが「クロス状態」に制御され、２×２スイッチ２３ｄが「クロス状態」に制御される。これにより、局内回線（Add-1）からの信号は、図２２において実線で示すように、２×２スイッチ４２ｂおよび２×２スイッチ２３ｄを介して局間回線（Ｐ左）に導かれる。
【０１１４】
上記スイッチング動作は、ＡＤＭ＃１においても同様に行われる。ただし、ＡＤＭ＃１では、ある局内回線からの信号が局間回線（Ｐ右）に導かれるようにスイッチング状態が設定される。したがって、ＡＤＭ＃５は、ＡＤＭ＃１によりアドされた信号を局間回線（Ｐ右）を介して受信することになる。そして、ＡＤＭ＃５において、４×１スイッチ３２ａが光カプラ３１ｃを介して与えられる信号を選択するように制御される。これにより、ＡＤＭ＃１から送出された信号は、局間回線（Ｐ右）を介してＡＤＭ＃５に入力されると、図２２において実線で示すように、光カプラ２１ｃ、光カプラ３１ｃ、４×１スイッチ３２ａを経由して局内回線（Drop-1）へ導かれる。
【０１１５】
なお、このスイッチング動作は、ＡＤＭ＃１においても同様に行われる。ただし、ＡＤＭ＃１では、局間回線（Ｐ左）を介して伝送される信号を対応する局内回線へ導くスイッチングが行われる。
【０１１６】
このように、本実施形態の光ＡＤＭ装置は、ＢＰＳＲにおけるダイバーススイッチングにより、障害からの復旧を実現することができる。
第３の実施例
この実施例のネットワークの構成および障害発生前の運用状態は、図１７(a) に示した第１の実施例と同じである。また、第１の実施例と同様に、ＡＤＭ＃２とＡＤＭ＃３との間の伝送路に障害が発生したものとする。ただし、第３の実施例では、第１の実施例の場合と異なり、ＡＤＭ＃２とＡＤＭ＃３との間に敷設されている４本の光ファイバのうち、現用系の回線（Ｗ右、Ｗ左）のみに障害が発生したものとする。
【０１１７】
図２３は、ＢＰＳＲ（Bi-directional Path Switched Ring ）におけるスパンスイッチング（Span Switching）を利用してチャネルＡを復旧させた状態を示す図である。
【０１１８】
スパンスイッチングを利用した復旧は、現用系回線が切断された伝送路において、予備系回線を介して信号を伝送することにより実現される。具体的には、障害が発生した伝送路に接続されている光ＡＤＭ装置が、その伝送路の予備系回線に信号を送出し、また、その伝送路の予備系回線から信号を受信する。
【０１１９】
この実施例では、ＡＤＭ＃２およびＡＤＭ＃３において上記動作が行われる。そして、この結果、ＡＤＭ＃２からＡＤＭ＃３へ向かう信号およびＡＤＭ＃３からＡＤＭ＃２へ向かう信号は、それぞれ予備系回線を利用して伝送されることになる。
【０１２０】
図２４は、図２３に示した復旧動作を実現するための光ＡＤＭ装置の動作を示す図である。ここでは、図２３に示すＡＤＭ＃２のスイッチング動作が描かれている。
【０１２１】
ＡＤＭ＃２は、ネットワークが図１７(a) に示す状態のときは、局間回線（Ｗ右）を介して受信した信号を局間回線（Ｗ右）に出力し、局間回線（Ｗ左）を介して受信した信号を局間回線（Ｗ左）に出力する。このとき、図２３(b)に示すように、ＡＤＭ＃２とＡＤＭ＃３との間の現用系回線（Ｗ右、Ｗ左）に障害が発生すると、ＡＤＭ＃２は、ＡＤＭ＃３から送出される信号を受信できなくなる。すなわち、ＡＤＭ＃２は、局間回線（Ｗ左）から信号を受信できなくなる。そして、ＡＤＭ＃２は、これを検出し、且つ、予備系回線が正常であることを認識すると、各スイッチを以下のように制御する。
【０１２２】
２×１スイッチ２２ａは「バー状態」に制御される。２×２スイッチ２３ａは「クロス状態」に制御される。２×２スイッチ２４ａは「バー状態」に制御される。２×１スイッチ２２ｃは「クロス状態」に制御される。そして、２×２スイッチ２３ｃは「バー状態」に制御される。これにより、ＡＤＭ＃１から送出された信号は、局間回線（Ｗ右）を介してＡＤＭ＃２に入力されると、図２４において実線で示すように、２×１スイッチ２２ａ、２×２スイッチ２３ａ、２×２スイッチ２４ａ、２×１スイッチ２２ｃ、２×２スイッチ２３ｃを経由して局間回線（Ｐ右）へ導かれる。
【０１２３】
上記スイッチング動作は、ＡＤＭ＃３においても同様に行われる。ただし、ＡＤＭ＃３では、ＡＤＭ＃４から局間回線（Ｗ左）を利用して送出された信号を、局間回線（Ｐ左）へ導くスイッチングが行われる。従って、ＡＤＭ＃２は、ＡＤＭ＃４から送出された信号を局間回線（Ｐ左）を介して受信することになる。そして、ＡＤＭ＃２は、各スイッチを以下のように制御する。
【０１２４】
２×１スイッチ２２ｄは「バー状態」に制御される。２×２スイッチ２３ｄは「クロス状態」に制御される。２×２スイッチ２４ｂは「バー状態」に制御される。２×１スイッチ２２ｂは「クロス状態」に制御される。そして、２×２スイッチ２３ｂは「バー状態」に制御される。これにより、ＡＤＭ＃４から送出された信号は、局間回線（Ｐ左）を介してＡＤＭ＃２に入力されると、図２４において破線で示すように、２×１スイッチ２２ｄ、２×２スイッチ２３ｄ、２×２スイッチ２４ｂ、２×１スイッチ２２ｂ、２×２スイッチ２３ｂを経由して局間回線（Ｗ左）へ導かれる。
【０１２５】
なお、このスイッチング動作は、ＡＤＭ＃３においても同様に行われる。ただし、ＡＤＭ＃３では、局間回線（Ｐ右）を介して伝送される信号を局間回線（Ｗ右）へ導くスイッチングが行われる。
【０１２６】
このように、本実施形態の光ＡＤＭ装置は、ＢＰＳＲにおけるスパンスイッチングにより、障害からの復旧を実現することができる。
（付記１）第１〜第４の入力回線、第１〜第４の出力回線、アド回線、およびドロップ回線が接続された光アド・ドロップ多重化装置であって、
上記第１〜第４の入力回線から入力される信号をそれぞれ分岐する４個の第１の光デバイスと、
上記第１〜第４の出力回線に対応して設けられた４個の第１のスイッチと、
上記第１〜第４の出力回線に対応して設けられた４個の第２のスイッチと、
１組の第３のスイッチと、
上記第１の光デバイスにより分岐された信号を上記ドロップ回線に導くドロップ部と、
上記アド回線からの信号を上記第２のスイッチに導くアド部とを備え、
上記１組の第３のスイッチの一方は、上記第１および第２の出力回線に対応する第２のスイッチからの信号を上記第３および第４の出力回線に対応する第１のスイッチへ導き、
上記１組の第３のスイッチの他方は、上記第３および第４の出力回線に対応する第２のスイッチからの信号を上記第１および第２の出力回線に対応する第１のスイッチへ導き、
上記４個の第１のスイッチは、それぞれ、対応する第１の光デバイスにより分岐された信号または上記第３のスイッチからの信号を出力し、
上記４個の第２のスイッチは、それぞれ、対応する第１のスイッチからの信号または上記アド部からの信号を対応する出力回線に出力する
を特徴とする光アド・ドロップ多重化装置。
【０１２７】
（付記２）付記１に記載の光アド・ドロップ多重化装置であって、
上記第１のスイッチは２×１スイッチであり、上記第２のスイッチは２×２スイッチであり、上記第３のスイッチは２×２スイッチである。
【０１２８】
（付記３）付記１に記載の光アド・ドロップ多重化装置であって、
上記ドロップ回線は第１および第２のドロップ回線を含み、
上記ドロップ部は、
上記４個の第１の光デバイスにより分岐された信号をそれぞれさらに分岐する４個の第２の光デバイスと、
上記４個の第２の光デバイスにより分岐された信号の１つを上記第１のドロップ回線に導くスイッチと、
上記４個の第２の光デバイスにより分岐された信号の１つを上記第２のドロップ回線に導くスイッチを有する。
【０１２９】
（付記４）付記１に記載の光アド・ドロップ多重化装置であって、
上記ドロップ回線は第１および第２のドロップ回線を含み、
上記ドロップ部は、
上記第１の光デバイスにより分岐された信号を交換する２個の２×２スイッチと、
上記２個の２×２スイッチにより交換された信号を上記第１および第２のドロップ回線に導く２個の２×１スイッチを有する。
【０１３０】
（付記５）付記１に記載の光アド・ドロップ多重化装置であって、
上記ドロップ回線は第１〜第４のドロップ回線を含み、
上記ドロップ部は、
上記第１の光デバイスにより分岐された信号を交換する２個の２×２スイッチと、
上記２個の２×２スイッチにより交換された信号を上記第１〜第４のドロップ回線に導く２個の２×２スイッチを有する。
【０１３１】
（付記６）付記１に記載の光アド・ドロップ多重化装置であって、
上記アド回線は第１および第２のアド回線を含み、
上記アド部は、
上記第１および第２のアド回線からの信号をそれぞれ分岐する２個の第３の光デバイスと、
上記第３の光デバイスにより分岐された信号を上記第２のスイッチに導く２個のスイッチを有する。
【０１３２】
（付記７）付記１に記載の光アド・ドロップ多重化装置であって、
上記アド回線は第１〜第４のアド回線を含み、
上記アド部は、
上記第１〜第４のアド回線からの信号を交換する２個の２×２スイッチと、
上記２個の２×２スイッチにより交換された信号を上記第２のスイッチに導く２個の２×２スイッチを有する。
【０１３３】
（付記８）付記１に記載の光アド・ドロップ多重化装置であって、
上記アド部は、上記アド回線からの信号よりも優先度の低い信号を上記第３および第４の出力回線に対応する第２のスイッチに導くスイッチを有し、
上記ドロップ部は、上記第３および第４の入力回線に対応する第１の光デバイスからの信号を上記ドロップ回線とは別の回線に導くスイッチを有する。
【０１３４】
（付記９）付記１に記載の光アド・ドロップ多重化装置であって、
上記アド部は、上記アド回線からの信号よりも優先度の低い信号を上記第３および第４の出力回線に対応する第２のスイッチに導くスイッチを有し、
上記ドロップ部は、上記第３および第４の入力回線に対応する第１の光デバイスからの信号を分岐して上記ドロップ回線とは別の回線に導く光デバイスを有する。
【０１３５】
（付記１０）付記１に記載の光アド・ドロップ多重化装置であって、
上記第１〜第４の入力回線からの信号をそれぞれ対応する伝送路に導くとともに、それらの伝送路からの信号をそれぞれ上記第１〜第４の出力回線に導く４個の第１のサーキュレータと、
上記伝送路からの信号をそれぞれ対応する上記第１の光デバイスに導くとともに、上記第２のスイッチから出力される信号を対応する上記伝送路に導く４個の第２のサーキュレータとを有する。
【０１３６】
（付記１１）付記１に記載の光アド・ドロップ多重化装置であって、
上記第２のスイッチと対応する出力回線との間に設けられ、当該出力回線に出力すべき信号のレベルを調整する調整手段と、
上記第１〜第３の各スイッチの状態に基づいて上記調整手段を制御する制御手段と
をさらに有する。
【０１３７】
（付記１２）付記１に記載の光アド・ドロップ多重化装置であって、
上記第２のスイッチと対応する出力回線との間に設けられ、当該出力回線に出力すべき信号のレベルを調整する調整手段と、
上記出力回線に出力すべき信号のレベルを検出し、その検出結果に基づいて上記調整手段を制御する制御手段と
をさらに有する。
【０１３８】
（付記１３）付記１に記載の光アド・ドロップ多重化装置であって、
上記第１〜第４の入力回線および上記第１〜第４の出力回線がそれぞれ波長多重光を伝送し、
上記第１の光デバイス、上記第１のスイッチ、上記第２のスイッチ、上記第３のスイッチ、上記ドロップ部、および上記アド部がそれぞれ波長ごとに設けられており、
上記第１〜第４の入力回線からの波長多重光を波長ごとに分波して対応する第１の光デバイスへ与える４個の波長分波器と、
各波長ごとに設けられている上記第２のスイッチから出力される信号を合波して上記第１〜第４の出力回線へ出力する４個の波長合波器と
をさらに有する。
【０１３９】
（付記１４）付記１３に記載の光アド・ドロップ多重化装置であって、
波長ごとに設けられている上記第２のスイッチと対応する波長合波器との間に設けられ、信号のレベルを調整する調整手段と、
上記波長合波器から出力される波長多重光が等化されるように上記調整手段を制御する制御手段と
をさらに有する。
【０１４０】
（付記１５）複数の光アド・ドロップ多重化装置が、時計回りの現用系回線、反時計回りの現用系回線、時計回りの予備系回線、および反時計回りの予備系回線によりリング状に接続された光伝送システムであって、各光アド・ドロップ多重化装置が請求項１に記載の構成であることを特徴とする光伝送システム。
【０１４１】
【発明の効果】
本発明によれば、小型の光デバイスを組み合わせることによりスイッチ回路が構成されるので、信頼性の高い光ＡＤＭ装置を実現できる。また、スイッチ回路を構成する光デバイスの一部を交換する必要が生じた場合であっても、他の光デバイスは継続して動作できるので、通信サービスの変更または停止は最小限に抑えられる。
【図面の簡単な説明】
【図１】本発明の実施形態の光ＡＤＭ装置が使用されるネットワークの構成を示す図である。
【図２】本実施形態の光ＡＤＭ装置の概略構成図である。
【図３】第１の実施形態の光ＡＤＭ装置の構成図である。
【図４】第２の実施形態の光ＡＤＭ装置の構成図である。
【図５】第３の実施形態の光ＡＤＭ装置の構成図である。
【図６】第４の実施形態の光ＡＤＭ装置の構成図である。
【図７】第５の実施形態の光ＡＤＭ装置の構成図である。
【図８】第６の実施形態の光ＡＤＭ装置の構成図である。
【図９】第７の実施形態の光ＡＤＭ装置の構成図である。
【図１０】第８の実施形態の光ＡＤＭ装置の構成図である。
【図１１】第９の実施形態の光ＡＤＭ装置の構成図である。
【図１２】第１０の実施形態の光ＡＤＭ装置の構成図である。
【図１３】第１１の実施形態の光ＡＤＭ装置の構成図である。
【図１４】第１２の実施形態の光ＡＤＭ装置の構成図である。
【図１５】第１３の実施形態の光ＡＤＭ装置の構成図である。
【図１６】第１４の実施形態の光ＡＤＭ装置の構成図である。
【図１７】  (a) はネットワークの運用状態を示す図、(b) は障害の発生位置を示す図である。
【図１８】第１の実施例においてネットワークを障害から復旧させる方法を説明する図である。
【図１９】ループバック動作を実現する際の光ＡＤＭ装置の動作を示す図である。
【図２０】  (a) はネットワークの運用状態を示す図、(b) は障害の発生位置を示す図である。
【図２１】第２の実施例においてネットワークを障害から復旧させる方法を説明する図である。
【図２２】ダイバーススイッチング動作を実現する際の光ＡＤＭ装置の動作を示す図である。
【図２３】第３の実施例においてネットワークを障害から復旧させる方法を説明する図である。
【図２４】スパンスイッチング動作を実現する際の光ＡＤＭ装置の動作を示す図である。
【図２５】既存の光ＡＤＭ装置の一例の構成図である。
【図２６】図２５の光ＡＤＭ装置において使用されるクロスコネクトスイッチの構成図である。
【図２７】既存の光ＡＤＭ装置の他の形態の構成図である。
【符号の説明】
１０−１〜１０−ｎ  スイッチ回路
１１                主スイッチ部
１２                ドロップ部
１３                アド部
２１ａ〜２１ｄ      光カプラ
２２ａ〜２２ｄ      ２×１スイッチ
２３ａ〜２３ｄ      ２×２スイッチ
２４ａ、２４ｂ      ２×２スイッチ
３１ａ〜３１ｄ      光カプラ
３２ａ、３２ｂ      ４×１スイッチ
３３ａ、３３ｂ      ２×２スイッチ
３４ａ、３４ｄ      ２×１スイッチ
３５ａ、３５ｂ      ２×２スイッチ
３６ａ、３６ｂ      １×２スイッチ
３７                ２×２スイッチ
３８ａ、３８ｂ      光カプラ
４１ａ、４１ｂ      光カプラ
４２ａ、４２ｂ      ２×２スイッチ
４３ａ、４３ｂ      ２×２スイッチ
４４                ２×２スイッチ
４５ａ、４５ｄ      ２×１スイッチ
５１ａ〜５１ｄ      光サーキュレータ
５２ａ〜５２ｄ      波長合分波器
５３ａ〜５３ｄ      光サーキュレータ
６１ａ〜６１ｄ      可変減衰器
６２                ＶＡＴ監視制御部
６３ａ〜６３ｄ      光カプラ
６４                ＶＡＴ監視制御部
６５ａ〜６５ｄ      光カプラ
６６、６７          ＶＡＴ監視制御部
５０１ａ〜５０１ｄ  波長分波器
５０３ａ〜５０３ｄ  波長合波器
【図１】
0004676657.tif 000002
【図２】
0004676657.tif 000003
【図３】
0004676657.tif 000004
【図４】
0004676657.tif 000005
【図５】
0004676657.tif 000006
【図６】
0004676657.tif 000007
【図７】
0004676657.tif 000008
【図８】
0004676657.tif 000009
【図９】
0004676657.tif 000010
【図１０】
0004676657.tif 000011
【図１１】
0004676657.tif 000012
【図１２】
0004676657.tif 000013
【図１３】
0004676657.tif 000014
【図１４】
0004676657.tif 000015
【図１５】
0004676657.tif 000016
【図１６】
0004676657.tif 000017
【図１７】
0004676657.tif 000018
【図１８】
0004676657.tif 000019
【図１９】
0004676657.tif 000020
【図２０】
0004676657.tif 000021
【図２１】
0004676657.tif 000022
【図２２】
0004676657.tif 000023
【図２３】
0004676657.tif 000024
【図２４】
0004676657.tif 000025
【図２５】
0004676657.tif 000026
【図２６】
0004676657.tif 000027
【図２７】
0004676657.tif 000028